(57)【要約】【課題】既存の上記棚板を利用して簡単に自立した商品陳列フェンスを構築でき、極めて簡単に実用的な陳列什器を得ることができ、金属製の棚板の商品価値を一層高めることが可能な陳列什器及び自立用足部材の提供。【解決手段】四隅に設けられた連結穴１に支柱を連結した際には水平状態に保持された棚板となる、枠部２に桟部３が架設されて成る金属製の棚板様体４と、この棚板様体４を床部に略垂直状態で自立させる左右一対の足部材５とから成り、この足部材５は、横向きに突設され前記棚板様体４の下側の前記連結穴１に連結可能な突設部６を有し、自立した前記棚板様体４の前記桟部３に陳列品を掛具７を介して若しくは直接引掛陳列できるように構成する。【選択図】図１
2019037698.tif 000002
【特許請求の範囲】
【請求項１】
四隅に設けられた連結穴に支柱を連結した際には水平状態に保持された棚板となる、枠部に桟部が架設されて成る金属製の棚板様体と、この棚板様体を床部に略垂直状態で自立させる左右一対の足部材とから成り、この足部材は、横向きに突設され前記棚板様体の下側の前記連結穴に連結可能な突設部を有し、自立した前記棚板様体の前記桟部に陳列品を掛具を介して若しくは直接引掛陳列できるように構成したことを特徴とする陳列什器。
【請求項２】
前記足部材の前記突設部は水平方向に突設して、前記棚板様体を略垂直状態とした際に水平方向を向く前記連結穴に差し込み連結可能に構成し、この連結穴に差し込み連結した前記突設部を抜け止めする抜け止め機構を備えたことを特徴とする請求項１記載の陳列什器。
【請求項３】
前記足部材は自立させた前記棚板様体の面方向と直交する前後方向に長い構成とし、前記突設部は前記足部材の長手方向と平行に突設したことを特徴とする請求項１，２いずれか１項に記載の陳列什器。
【請求項４】
前記突設部は前方及び後方に向けて一対突設し、この前後一対の突設部を対向する一対の前記棚板様体の下側の前記連結穴に夫々連結することで、前記一対の棚板様体を前後に背中合わせに並べて略垂直状態で自立させ得るように構成したことを特徴とする請求項１〜３いずれか１項に記載の陳列什器。
【請求項５】
前後に背中合わせに並べた前記一対の棚板様体の上側の対向する連結穴同士に夫々連結する前後連結体を有することを特徴とする請求項４記載の陳列什器。
【請求項６】
左右方向に隣り合う自立した前記棚板様体同士に夫々連結する左右連結体を有することを特徴とする請求項１〜５いずれか１項に記載の陳列什器。
【請求項７】
四隅に設けられた連結穴に支柱を連結した際には水平状態に保持された棚板となる、枠部に桟部が架設されて成る金属製の棚板様体を、床部に略垂直状態で自立させるために用いる棚板様体の自立用足部材であって、床部と接触する足平部と、略垂直状態とした前記棚板様体の下側の前記連結穴に連結される横向きに突設された突設部とを有することを特徴とする自立用足部材。
【請求項８】
前記突設部は水平方向に突設して、前記棚板様体を略垂直状態とした際に水平方向を向く前記連結穴に差し込み連結可能に構成し、この連結穴に差し込み連結した前記突設部を抜け止めする抜け止め機構を備えたことを特徴とする請求項７記載の自立用足部材。
【請求項９】
前記足平部は自立させた前記棚板様体の面方向と直交する前後方向に長い構成とし、前記突設部は前記足平部の長手方向と平行に突設したことを特徴とする請求項７，８いずれか１項に記載の自立用足部材。
【請求項１０】
前記突設部は前方及び後方に向けて一対突設し、この前後一対の突設部を対向する一対の前記棚板様体の下側の前記連結穴に夫々連結することで、前記一対の棚板様体を前後に背中合わせに並べて略垂直状態で自立させ得るように構成したことを特徴とする請求項７〜９いずれか１項に記載の自立用足部材。
【発明の詳細な説明】
【技術分野】
【０００１】
本発明は、陳列什器及び自立用足部材に関するものである。
【背景技術】
【０００２】
従来から、特許文献１に開示されるように、４本の支柱を一若しくは複数の棚板（スチールワイヤ等の線材を方形の網状に組んで接点を溶接した所謂ワイヤシェルフ）の四隅のソケット部に嵌合連結して組み立てる組立棚が知られている。
【先行技術文献】
【特許文献】
【０００３】
【特許文献１】実用新案登録第３０９５６６８号公報
【発明の概要】
【発明が解決しようとする課題】
【０００４】
本発明は、上記支柱によって水平状態に保持される上記棚板に新たな使い道をもたらすもので、既存の上記棚板を利用して簡単に自立した商品陳列フェンスを構築でき、極めて簡単に実用的な陳列什器を得ることができ、金属製の棚板の商品価値を一層高めることが可能な実用的な陳列什器及び自立用足部材を提供するものである。
【課題を解決するための手段】
【０００５】
添付図面を参照して本発明の要旨を説明する。
【０００６】
四隅に設けられた連結穴１に支柱を連結した際には水平状態に保持された棚板となる、枠部２に桟部３が架設されて成る金属製の棚板様体４と、この棚板様体４を床部に略垂直状態で自立させる左右一対の足部材５とから成り、この足部材５は、横向きに突設され前記棚板様体４の下側の前記連結穴１に連結可能な突設部６を有し、自立した前記棚板様体４の前記桟部３に陳列品を掛具７を介して若しくは直接引掛陳列できるように構成したことを特徴とする陳列什器に係るものである。
【０００７】
また、前記足部材５の前記突設部６は水平方向に突設して、前記棚板様体４を略垂直状態とした際に水平方向を向く前記連結穴１に差し込み連結可能に構成し、この連結穴１に差し込み連結した前記突設部６を抜け止めする抜け止め機構を備えたことを特徴とする請求項１記載の陳列什器に係るものである。
【０００８】
また、前記足部材５は自立させた前記棚板様体４の面方向と直交する前後方向に長い構成とし、前記突設部６は前記足部材５の長手方向と平行に突設したことを特徴とする請求項１，２いずれか１項に記載の陳列什器に係るものである。
【０００９】
また、前記突設部６は前方及び後方に向けて一対突設し、この前後一対の突設部６を対向する一対の前記棚板様体４の下側の前記連結穴１に夫々連結することで、前記一対の棚板様体４を前後に背中合わせに並べて略垂直状態で自立させ得るように構成したことを特徴とする請求項１〜３いずれか１項に記載の陳列什器に係るものである。
【００１０】
また、前後に背中合わせに並べた前記一対の棚板様体４の上側の対向する連結穴１同士に夫々連結する前後連結体８を有することを特徴とする請求項４記載の陳列什器に係るものである。
【００１１】
また、左右方向に隣り合う自立した前記棚板様体４同士に夫々連結する左右連結体９を有することを特徴とする請求項１〜５いずれか１項に記載の陳列什器に係るものである。
【００１２】
また、四隅に設けられた連結穴１に支柱を連結した際には水平状態に保持された棚板となる、枠部２に桟部３が架設されて成る金属製の棚板様体４を、床部に略垂直状態で自立させるために用いる棚板様体４の自立用足部材であって、床部と接触する足平部10と、略垂直状態とした前記棚板様体４の下側の前記連結穴１に連結される横向きに突設された突設部６とを有することを特徴とする自立用足部材に係るものである。
【００１３】
また、前記突設部６は水平方向に突設して、前記棚板様体４を略垂直状態とした際に水平方向を向く前記連結穴１に差し込み連結可能に構成し、この連結穴１に差し込み連結した前記突設部６を抜け止めする抜け止め機構を備えたことを特徴とする請求項７記載の自立用足部材に係るものである。
【００１４】
また、前記足平部10は自立させた前記棚板様体４の面方向と直交する前後方向に長い構成とし、前記突設部６は前記足平部10の長手方向と平行に突設したことを特徴とする請求項７，８いずれか１項に記載の自立用足部材に係るものである。
【００１５】
また、前記突設部６は前方及び後方に向けて一対突設し、この前後一対の突設部６を対向する一対の前記棚板様体４の下側の前記連結穴１に夫々連結することで、前記一対の棚板様体４を前後に背中合わせに並べて略垂直状態で自立させ得るように構成したことを特徴とする請求項７〜９いずれか１項に記載の自立用足部材に係るものである。
【発明の効果】
【００１６】
本発明は上述のように構成したから、既存の上記棚板を利用して簡単に自立した商品陳列フェンスを構築でき、極めて簡単に実用的な陳列什器を得ることができ、金属製の棚板の商品価値を一層高めることが可能な実用的な陳列什器及び自立用足部材となる。
【図面の簡単な説明】
【００１７】
【図１】本実施例の概略説明斜視図である。
【図２】本実施例の要部の拡大説明斜視図である。
【図３】本実施例の要部の拡大説明分解斜視図である。
【図４】本実施例の要部の拡大説明斜視図である。
【図５】本実施例の要部の拡大説明分解斜視図である。
【図６】別例の概略説明斜視図である。
【図７】別例の要部の拡大説明斜視図である。
【図８】別例の要部の拡大説明分解斜視図である。
【発明を実施するための形態】
【００１８】
好適と考える本発明の実施形態を、図面に基づいて本発明の作用を示して簡単に説明する。
【００１９】
既存の金属製の棚板（棚板様体４。既存のワイヤシェルフ）の四隅の連結穴１のいずれか二箇所に足部材５の突設部６を差し込み連結し、左右一対の足部材５が床部に接触するように棚板様体４を略垂直状態に立てることで棚板様体４を自立させる。
【００２０】
この自立させた棚板様体４の桟部３には、掛具７を介して若しくは直接、陳列品を引掛陳列することができ、既存の金属製の棚板を商品陳列フェンスとして利用することが可能となる。
【００２１】
従って、足部材５の突設部６を既存の棚板様体４の既存の連結穴１に差し込み連結するだけで、略垂直状態で自立させた商品陳列フェンスを構築でき、特に幅か奥行きが２ｍ程度の大型の既存の棚板を用いることで大量の商品を一面に引掛陳列できる、迫力ある大面積展示スペースとなる大型の商品陳列フェンスを簡単に構築できる等、極めて簡単に実用的な陳列什器を得ることができ、既存の金属製の棚板に新たな使い道を提供でき、その商品価値を一層高めることが可能となる。
【実施例】
【００２２】
本発明の具体的な実施例について図面に基づいて説明する。
【００２３】
本実施例は、四隅に設けられたソケット部20の連結穴１に支柱を連結した際には水平状態に保持された棚板となる、枠部２に桟部３が架設されて成る金属製の棚板様体４と、この棚板様体４を床部に略垂直状態で自立させる左右一対の足部材５とから成り、この足部材５は、横向きに突設され前記棚板様体４の下側の前記連結穴１に連結可能な突設部６を有し、自立した前記棚板様体４の前記桟部３に陳列品を掛具７を介して若しくは直接引掛陳列できるように構成したものである。
【００２４】
具体的には、本実施例は既存の平面視長方形状のワイヤシェルフ（金属線材で枠部２及び縦横桟部３を網状に組んで接点を溶接した一般的なもの）を棚板様体４とするものである。ワイヤシェルフはどのような大きさのものでも良いが、例えば大型のもの（長辺部が２ｍ程度のもの）を利用すると、足部材５を用意するだけで人の身長以上の大型の商品陳列フェンスを簡単に構築でき、その効果が一層良好に発揮される。
【００２５】
足部材５は、図１〜３に図示したように、床部に接触し棚板様体４が倒れないように支える金属製の板状の足平部10と、この足平部10の上面に設けられた突設部６と、この突設部６がその側面（立直側面）に突設される基部11とで構成されている。足平部10の前後先端部には床部に固定するための固定用ボルト（図示省略）が挿通する挿通孔18が設けられ、先端部上面には面取り部19が設けられている。
【００２６】
具体的には、足部材５の突設部６は基部11の水平方向に突設して、棚板様体４を略垂直状態とした際に水平方向を向く連結穴１に差し込み連結可能に構成している。
【００２７】
突設部６は円形の連結穴１に略嵌合する円筒体である。連結穴１の端部（突設部６が挿入される入口側とは反対側の出口側端部）は開放されており、突設部６は、連結穴１に差し込み連結した際、連結穴１の出口側端部開口部から突出しない長さに設定されている。
【００２８】
また、本実施例では、連結穴１に差し込み連結した突設部６を抜け止めする抜け止め機構を備えている。
【００２９】
抜け止め機構は、本実施例では、突設部６の先端面に穿設された螺子孔12に螺合する抜止ボルト13と、この抜止ボルト13の頭部と連結穴１の端部開口部との間に配設されるワッシャ14と、このワッシャ14と抜止ボルト13の頭部との間に配設されるＣ字状の板バネ15とで構成されている。
【００３０】
また、本実施例の足部材５（足平部10）は自立させた棚板様体４の面方向と直交する前後方向に長い構成とし、突設部６は足部材５の長手方向と平行に突設している。
【００３１】
足平部10の長さは棚板様体４の大きさに応じて適宜設定できる。例えば自立させた棚板様体４から前後に夫々所定長さ（例えば３０ｃｍ〜８０ｃｍ程度）突出する構成とする。従って、棚板様体４の前後方向への倒れ荷重を良好に足部材５で支持することができ、安定的に自立させることが可能となる。
【００３２】
また、本実施例では、突設部６は基部11の前方及び後方に向けて一対突設し、この前後一対の突設部６を対向する一対の棚板様体４の下側の連結穴１に夫々連結することで、一対の棚板様体４を前後に背中合わせに並べて略垂直状態で自立させ得るように構成している。この場合、背中合わせ並べた棚板様体４の表裏面に商品を引掛陳列することが可能となり、一層扱い易い商品陳列フェンスとなる。
【００３３】
また、本実施例は、図４，５に図示したように、前後に背中合わせに並べた一対の棚板様体４の上側の対向する連結穴１同士に夫々連結する前後連結体８を有している。前後連結体８は、中央部16から前後に水平方向に筒部17が突設された構成である。この前後連結体８は、上述の抜け止め機構で同様に抜け止めされる。図中、符号21は螺子孔である。上側の連結穴１同士に前後連結体８を夫々連結することで一対の棚板様体４をより確実に一体化でき、安定的に自立させることが可能となる。
【００３４】
また、棚板様体４を左右方向に複数並設する場合、左右方向に隣り合う自立した前記棚板様体４同士に夫々連結する左右連結体９を設ける。左右連結体９は左右方向に隣り合う棚板様体４の上側及び下側の連結穴１の端部開口部と夫々連通し抜止ボルト13が挿通する挿通孔を一対有する横長の板状体である。左右連結体９を左右方向に隣り合う棚板様体４同士に連結することで両者を一体化させることができ、一層安定的に並設することが可能となる。
【００３５】
なお、本実施例は上述のように前後一対の棚板様体４を背中合わせにして自立させた構成としているが、棚板様体４を一枚ずつ自立させても良い。この場合、図６〜８に図示した別例のように基部11の一方の側面からのみ突設部６を突設した足部材５を用いる構成としても良い。
【００３６】
以上の自立させた棚板様体４の桟部３（横桟部）には、多数の掛具７（フック）を介して（若しくは直接）陳列品を多数引掛陳列することができ、よって、既存の金属製の棚板を商品陳列フェンスとして良好に利用することが可能となる。
【符号の説明】
【００３７】
１  連結穴
２  枠部
３  桟部
４  棚板様体
５  足部材
６  突設部
７  掛具
８  前後連結体
９  左右連結体
10  足平部
【図１】
2019037698.tif 000003
【図２】
2019037698.tif 000004
【図３】
2019037698.tif 000005
【図４】
2019037698.tif 000006
【図５】
2019037698.tif 000007
【図６】
2019037698.tif 000008
【図７】
2019037698.tif 000009
【図８】
2019037698.tif 000010